(57)【特許請求の範囲】
【請求項１】
送風機と、前記送風機の吸込み側に位置する熱交換器と、温風吹出しを下吹出しと上吹出しとに切換える切換え手段とを備え、下吹出し時は、前記送風機の吸込みを前記熱交換器を通過した空気のみとし、上吹出し時は、前記送風機の吸込みを前記熱交換器を通過した空気と前記熱交換器をバイパスした空気となるように構成し、前記送風機であるクロスフローファンと、前記クロスフローファンのリアガイダーとスタビライザーとを両端板で一体化し、前記クロスフローファンの回転ファンの中心軸と略同一中心軸で回転自在な構成とした回転ガイダーと、下吹出し口を有する下吹出し通路、上吹出し口を有する上吹出し通路、熱交換器と前記送風機の吸込みとの間の熱交換器側吸込み通路、前記熱交換器をバイパスするバイパス吸込み通路とを備えた温風暖房機において、上吹出し時、回転ガイダーの回転角度を変化させることで、送風機の吸込みに対して熱交換器吸込み通路及びバイパス吸込み通路との接続比率を変化する構成とした温風暖房機。
【請求項２】
送風機と、前記送風機の吸込み側に位置する熱交換器と、温風吹出しを下吹出しと上吹出しとに切換える切換え手段とを備え、下吹出し時は、前記送風機の吸込みを前記熱交換器を通過した空気のみとし、上吹出し時は、前記送風機の吸込みを前記熱交換器を通過した空気と前記熱交換器をバイパスした空気となるように構成し、前記送風機であるクロスフローファンと、前記クロスフローファンのリアガイダーとスタビライザーとを両端板で一体化し、前記クロスフローファンの回転ファンの中心軸と略同一中心軸で回転自在な構成とした回転ガイダーと、下吹出し口を有する下吹出し通路、上吹出し口を有する上吹出し通路、熱交換器と前記送風機の吸込みとの間の熱交換器側吸込み通路、前記熱交換器をバイパスするバイパス吸込み通路とを備えた温風暖房機において、上吹出し時、バイパス吸込み通路の開口率を可変する開口率可変手段を有する構成とした温風暖房機。
【発明の詳細な説明】
【０００１】
【発明の属する技術分野】
本発明は温風暖房機の定常時の快適性を得る構成に関する。
【０００２】
【従来の技術】
従来のこの種の温風暖房機は、特開平７−１３９７４７号公報に示すようなものが一般的であった。以下、その構成について図１４を参照して説明する。図１４に示すように、筺体１の背面上部に吸込口となる上部開口部２を、前面下部に吹き出し口となる下部開口部３を設け、上部開口部２と下部開口部３を結ぶ空気通路４の上部に上部を前方に傾斜させた主熱交換器５、下部に送風機６を配置し、主熱交換器５の上部にフインピッチが主熱交換器５のフインピッチより数倍大きい補助熱交換器７を設置し、補助熱交換器７の上方の対応する箇所に開口部８を設けるように構成されている。以上の構成で、主熱交換器５、補助熱交換器７に温水ボイラなどから温水が循環され、送風機６が回転して、上部開口部２及び開口部８から矢印のように吸い込まれた室内空気は補助熱交換器７、主熱交換器５で温められ下部開口部３より温風を矢印のように吹き出す。温度制御装置により室内空気の吸込温度が設定温度以上になれば送風機６を停止して自然対流による補助暖房を行う。室内空気温度が設定温度よりも下がると送風機６を再度運転することで室温を設定温度に維持する。
【０００３】
【発明が解決しようとする課題】
しかしながら上記のような従来の温風暖房機では、自然対流による補助暖房の時には熱交換器で高温に加熱された空気の自然ドラフトにたよるため、空気の循環量が小さく比重の軽い暖かい空気は部屋の上部のみに溜まることになり、足元の温度よりも頭部側の上部のみの温度が高くなり、非常に不快な室内温度分布となる。また、自然対流促進のために補助熱交換器７を設けたとはいえ、本来強制通風で設計された寸法内に収納されたものであるために、自然対流による補助暖房での暖房能力量は室内暖房負荷を満足する程は得られない。そのため、比較的短時間で室内空気温度が低下して送風機６の運転の繰り返しとなり、その都度吹き出し気流の発生、停止及び、吹き出し温度の上昇、降下が頻繁に生じて不快感が生じるという課題を有していた。
【０００４】
【課題を解決するための手段】
本発明は上記課題を解決するために, 送風機と、前記送風機の吸込み側に位置する熱交換器、温風吹出しを下吹出しと上吹出しとに切換える切換え手段を有し、下吹出し時は、前記送風機の吸込みを前記熱交換器を通過した空気のみとし、上吹出し時は、前記送風機の吸込みを前記熱交換器を通過した空気と前記熱交換器をバイパスした空気とする構成としたものである。
【０００５】
上記発明によれば、室温が低いときとか、戸外などで体が冷え切った体を早く暖めたい時などには、温風吹出し方向を下吹き出しに設定して送風機の全吸込み空気を熱交換器を通過させることで、吹出し温度が高くなり、体に直接高温風をあてることで、快適な採暖ができ、また暖房能力が大きいため、室温の立ち上がりが早くなる。室温が設定値近傍に達した時とか、体に直接温風を当てたくない場合は、温風吹き出し方向を上吹き出しに切り替え、同時に送風機の吸込みを熱交換器を通過した空気と熱交換器をバイパスした空気とを混合することで、吹出し温度が低くなり、温度の低い温風を強制的に上向きに吹出すことで、温風が天井面から壁面に沿って拡散して流れることになり、室内温度分布がほぼ均一になり、居住空間への気流、温度変動をほとんど感じることが無くなり、快適な暖房運転の効果が得られる。また、気流感を感じさせない状態では、同一の体感温度を得るためには気流を感じている時に比べて２〜３度低い温度にすることができるので、経済性の向上の効果も得られる。
【０００６】
また、温度制御装置により室温を調節するため送風機の作動、停止を繰り返すことにより吹き出し気流の有無や吹き出し温度の高低があっても上吹き出しに設定しておけば上記と同じ効果が得られる。
【０００７】
【発明の実施の形態】
上記課題を解決するため本発明は、送風機と、前記送風機の吸込み側に位置する熱交換器、温風吹出しを下吹出しと上吹出しとに切換える切換え手段を備え、下吹出し時は、前記送風機の吸込みを前記熱交換器を通過した空気のみとし、上吹出し時は、前記送風機の吸込みを前記熱交換器を通過した空気と前記熱交換器をバイパスした空気となるように構成し、送風機であるクロスフローファンと、前記クロスフローファンのリアガイダーとスタビライザーとを前記クロスフローファンの回転ファンの中心軸と略同一中心軸で回転自在な構成とした回転ガイダーと、下吹出し口を有する下吹出し通路、上吹出し口を有する上吹出し通路、熱交換器と前記送風機の吸込みとの間の熱交換器側吸込み通路、前記熱交換器をバイパスするバイパス吸込み通路とを備え、上吹出し時、回転ガイダーの回転角度を変化させることで、送風機の吸込みに対して熱交換器側吸込み通路及びバイパス吸込み通路との接続比率を変化する構成とした温風暖房機である。
【０００８】
そして、室温が低いときとか、戸外などで体が冷え切った体を早く暖めたい時などには、温風吹出し方向を下吹き出しに設定して送風機の全吸込み空気を熱交換器を通過させることで、吹出し温度が高くなり、体に直接高温風をあてることで、快適な採暖ができ、また暖房能力が大きいため、室温の立ち上がりが早くなる。室温が設定値近傍に達した時とか、体に直接温風を当てたくない場合は、温風吹き出し方向を上吹き出しに切り替え、同時に送風機の吸込みを熱交換器を通過した空気と熱交換器をバイパスした空気とを混合することで、吹出し温度が低くなり、温度の低い温風を強制的に上向きに吹出すことで、温風が天井面から壁面に沿って拡散して流れることになり、室内温度分布がほぼ均一になり、居住空間への気流、温度変動をほとんど感じることが無くなり、快適な暖房運転の効果が得られる。また、気流感を感じさせない状態では、同一の体感温度を得るためには気流を感じている時に比べて２〜３度低い温度にすることができるので、経済性の向上の効果も得られる。
【０００９】
また、温度制御装置により室温を調節するため送風機の作動、停止を繰り返すことにより吹き出し気流の有無や吹き出し温度の高低があっても上吹き出しに設定しておけば上記と同じ効果が得られる。
【００１０】
そして、送風機をクロスフローファンを採用したことで、熱交換器全面に対して均一な空気の流れを作り出すことができて熱交換器を効率良く使用することができ、また吹出し気流も均一な流れを作り出すことができる。クロスフローファンのリアガイダーとスタビライザーとを両端板で一体化し、クロスフローファンの回転ファンの中心軸と略同一中心軸で回転自在な構成とした回転ガイダーとしたことで、クロスフローファンのリアガイダーとスタビライザーの最適な位置関係を保ちつつ回転ガイダーを回転させるだけの簡単な構成で温風の上吹出し、下吹出しを気流を乱すことなく容易に選択できるため、送風機の最適効率を確保できるとともに、低騒音化がはかれる。
【００１１】
そして、上吹出し時、回転ガイダーの回転角度を変化させることで熱交換器側通路を広くするとバイパス吸込み通路は狭くなり熱交換器の通風量が多くなりバイバス通風量が少なくなることで熱交換量が増加し、逆に熱交換器側吸込み通路を狭くするとバイパス吸込み通路は広くなるため熱交換器の通風量が少なくなりバイバス通風量が多くなることで熱交換量が減少するもので、回転ガイダーの回転角度を変化させるだけで熱交換量の増減が容易に可能となるため、別途の能力制御機構なしで容易に能力制御ができる。
【００１２】
また、上吹出し時、バイパス吸込み通路の開口率を可変する開口率可変手段を有する構成としたものである。
【００１３】
そして、上吹出し時にバイパス吸込み通路の開口率を可変する開口率可変手段を用いて能力制御を行うため、より精度の良い能力制御ができ、回転ガイダーは風回路として最適
な位置に設定できるので送風機を最適な効率で運転できる。
【００１４】
【実施例】
以下、本発明の実施例について図面を用いて説明する。
【００１５】
（実施例１）
図１は本発明の実施例１の温風暖房機の下吹出し時のシステムの構成図、図２は同温風暖房機の上吹出し時のシステムの構成図、図３は同温風暖房機の送風機の構成を示す正面図、図４は同温水暖房機の送風機の構成を示す斜視図、図５は同温風暖房機の暖房時の温度分布測定位置を示す図、図６は同温風暖房機の上吹出し時の図５のＡ面における風のながれを示す図、図７は同温風暖房機の上吹出し時の図５のＢ面、Ｃ面での高さ方向の温度分布図である。
【００１６】
図１、図２、図３、図４において、９は暖房すべき室内側の床面および床面に近い場所に設置される温風暖房機の室内ユニット、１０は外装を形成する筺体であり、筺体１０の内部に送風機１１、送風機11の吹出し側に筺体１０の前面下部近傍に開口する下吹出し口１２を有する下吹出し通路１３を、筺体１０の上部に開口する上吹出し口１４を有する上吹出し通路１５を設け、送風機１１の吸込み側に筺体１０の後面上部に位置する熱交換器側吸込み通路１６を介して熱交換器１７を、さらに熱交換器１７をバイパスするバイパス吸込み通路１８を配置している。
【００１７】
送風機１１はクロスフローフアンであり回転フアン１９、リアガイダー２０、スタビライザー２１とを主要構成要素とし、回転ファン１９の一方は駆動用のモータ２２が連接され、他方はファン軸受２３で支持され、リアガイダー２０とスタビライザー２１とは両端を端板２４aと２４bで一体化した回転ガイダー２５を構成し、回転ファン１９の中心軸と略同一中心軸で回転自在となるように端板２４a、２４bの端板軸受２６a、２６bで支持され、端板２４aには回転ガイダー歯車２７が固定されている。２８はステッピングモータ２９とステッピングモータ歯車３０で構成された切換え手段であり、ステッピングモータ歯車３０は回転ガイダー歯車２７と噛合わされていてステッピングモータ２９を駆動して回転ガイダー２５を回転させ送風機１１の吹出し口３１を下吹出し通路１３または上吹出し通路１５側の位置へ切替える。
【００１８】
下吹きだし時は図１に示すように送風機１１の吹出し口３１が下吹出し通路１３の位置のときにはスタビライザー２１によって上吹出し通路１５が閉塞され、リアガイダー２０によってバイパス吸込み通路１８が閉塞される構成とする。また上吹出し時は図２に示すように送風機１１の吹出し口３１が上吹出し通路１５の位置のときにはリアガイダー２０によって下吹出し通路１３が閉塞され、送風機１１の吸込み口３２は熱交換器側吸込み通路１６とバイパス吸込み通路１８の両方とに開口する構成とする。
【００１９】
熱交換器１７は内部に温水を流す構成とする。３３はサーミスターなどで構成する室温検知手段、３４は室温設定手段でありリモコン（図示せず）または筺体１０に設けられた操作部（図示せず）で任意の温度設定ができる。３５は室温検知手段３３で検知された室温を室温設定手段３４で設定された設定温度と比較する比較手段である。３６は切り替え制御部であり、比較手段３５の比較結果により切換え手段２８の駆動制御をおこない回転ガイダー２５を回転駆動することで下吹き出しか上吹き出しかの切替を行う。
【００２０】
３７は手動切替指令手段であり、この手動切替え指令手段３７を手動操作すると比較手段３５に優先して切替え制御部３６に指令を出して切換え手段２８の駆動制御を行い回転ガイダー２５を回転駆動することで下吹出しか上吹出しかの切替えを行う。
【００２１】
３８は温水ボイラー本体で、温水加熱器３９、加熱源であるバーナ４０、バーナ４０の燃焼量を制御する制御部４１、シスターンタンク４２、循環ポンプ４３、温水加熱器３９の出口温水温度を検知する温水温度検知手段４４で構成される。
【００２２】
次に動作、作用について、室温設定をした場合について説明する。リモコンスイッチ(図示せず)などで運転開始が行われると、まず比較手段３５で室温検知手段３３による室温を室温設定手段３４であらかじめ設定されている設定値と比較して、比較結果を切替え制御部３６へ送る、運転開始時は通常、室温は設定値よりも低いため、切替え制御部３６は、送風機１１の回転ガイダー２５が温風吹出し方向が下吹出し通路１２の位置で吸込み口３２が熱交換器側吸込み通路１６の位置となるように切換え手段２８を駆動し、次に、循環ポンプ４３が駆動され、バーナ４０の燃焼がはじまり、温水加熱器３９の循環水が加熱され温水温度検知手段４４と燃焼量を制御する制御部４１とによりバーナ４０の燃焼量を制御して、あらかじめ設定された温水温度にして熱交換器１７へ循環をおこなわせて、送風フアン１１を運転すると熱交換器１７側より吸い込まれた室内空気は熱交換器１７により加熱されて温風となって床面近傍の下吹出し口１２より吹き出される。
【００２３】
このように、温風吹出し方向を下吹出しに設定して送風機１１の全吸込み空気を熱交換器１７を通過させることで、吹出し温度が高くなり、床面を十分に温め、また暖房能力が大きいため、室温を早く上昇させる。
【００２４】
起動後所定時間が経過したら、比較手段３５において室温検知手段３３による室温検知温度を室温設定手段３４による設定温度と比較して、室温が設定値近傍以下（例えば設定値-1.5度以下）の場合は吹出し方向は下向きのままで運転を継続し、室温が設定値近傍であれば吹出し方向の切り替え制御部３６の指令によって切換え手段２８を駆動して回転ガイダー２５を図２に示す上吹出し通路１５の位置で吸込み口３２が熱交換器側吸込み通路１６とバイパス通路１８の両方とに開口する位置に回転させる。このように、温風吹出し方向を上吹出しに設定して送風機１１の吸込みを熱交換器１７を通過した空気と熱交換器１７をバイパスした空気とを混合することで、吹出し温度が低くなり、温度の低い温風を強制的に上向きに吹出すことで、図６に示すように床面近傍より吸込まれた室内空気は低温度の温風としてほぼ真上に吹出されるために吹出し気流は天井面から壁面に沿って拡散して流れるため、床面の気流速度は非常に小さくなり、居住空間では温風吹出しによる気流をほとんど感じなくなるばかりでなく、図７に示すように室内の中央のＢ面、および室内ユニットより遠いＣ面の高さ方向の温度分布がほぼ均一であり、即ち室内全体がほぼ均一な温度分布となって、快適な暖房運転の効果が得られる。また、気流を感じさせない状態では、同一の体感温度を得るためには気流を感じている時に比べて２〜３度低い温度にできるので、経済性の向上の効果も得られる。
【００２５】
このように室温が設定近傍の場合は上吹出しで運転することによって、吹き出し気流が上向きとなることにより、居住空間では温風吹き出しによる気流をほとんど感じなくなるために、快適な暖房運転が可能となる。
【００２６】
室温が設定値よりも高くなると送風機１１を停止し、設定値よりも低下すると送風機１１は運転される。このように室温に対応して送風機１１の運転を停止したり、再運転したりすると、その度に吹出し気流の発生、停止の繰返しがあったり、吹き出し温度の高低があっても上方向の吹出しとしていることで、このような変動をほとんど体に感じることがなくなり、快適な暖房運転が得られる。
【００２７】
つぎに、手動切替え指令手段３７に基づく動作、作用について説明する。戸外で冷え切った体を早く暖めたい時などには、室温が室温設定値近傍で上吹出しで暖房運転している場合でも、手動切替え指令手段３７を操作して下吹出しに切替えると、比較手段３５に優
先して切替え制御部３６に指令を出すので切換え手段２８の駆動制御をおこない回転ガイダー２５を回転駆動することで温風吹出し方向を下吹出しに設定して送風機１１の全吸込み空気を熱交換器１７を通過させることで、吹出し温度を高くすることにより、体に直接高温風をあてることで、快適な採暖ができる。
【００２８】
体に直接温風を当てたくない場合は、手動切替え指令手段１４を操作して上吹出しに切替えると、比較手段３５に優先して切替え制御部３６に指令を出して切替え手段２８の駆動制御をおこない回転ガイダー２５を回転駆動することで吹出し方向が上向きとなり、送風機１１の吸込み口３２が熱交換器側吸込み通路１６とバイパス吸込み通路１８の両方とに開口する位置に回転させる。このように、温風吹出し方向を上吹出しに設定して送風機１１の吸込みを熱交換器１７を通過した空気と熱交換器１７をバイパスした空気とを混合することで、吹出し温度を低くすることにより、体に直接温風を当てることなく、気流感を感じさせずに室内温度がほぼ均一な快適な暖房が得られる。
【００２９】
送風機１１はクロスフローファンであるので、熱交換器１７の全面に対して均一な空気の流れを作り出すことができて熱交換器１７を効率良く使用することができ、また吹出し気流も均一な流れを作り出すことができる。
【００３０】
クロスフローファンのリアガイダー２０とスタビライザー２１とを両端板２４ａ、２４ｂ、で一体化し、前記クロスフローファンの回転ファン１９の中心軸と略同一中心軸で回転自在な構成とした回転ガイダー２５としたことで、クロスフローファンのリアガイダー２０とスタビライザー２１の最適な位置関係を保ちつつ回転ガイダー２５を回転させるだけの簡単な構成で温風の上吹出し、下吹出しを気流を乱すことなく容易に選択できるため、送風機１１の最適効率を確保できるとともに、低騒音化がはかれる。
【００３１】
下吹出し時は、スタビライザー２１で上吹出し通路１５を閉塞し、リアガイダー２０でバイパス吸込み口１８を閉塞する構成としたことで、下吹出し時に閉塞すべき上吹出し通路１５とバイパス吸込み通路１８とを下吹出し時に位置するスタビライザー２１とリアガイダー２０とで閉塞することができるため、別個に閉塞機構を設ける必要が無くなり、構造を簡素化できる。
【００３２】
上吹出し時は、リアガイダー２０で下吹出し通路１３を閉塞する構成としたことで、上吹出し時に閉塞すべき下吹出し通路１３を上吹出し時に位置するリアガイダー２０で閉塞することができるため、別個に閉塞機構を設ける必要が無くなり、構造を簡素化できる。
【００３３】
（実施例２）
図８は本発明の実施例２の温風暖房機の上吹出し時のシステムの構成図、図９は同温風暖房機の下吹出し時のシステムの構成図、図１０は同温風暖房機の主要部の構成斜視図である。
【００３４】
本実施例２において、実施例１と異なる点はスタビライザー２１が比較的小さくて下吹出し時にスタビライザー２１で上吹出し通路１５を閉塞できない場合であり、上吹出し通路１５と熱交換器側吸込み通路１６とを仕切る隔壁４５を支持軸４６を中心に可動できる構成とし、回転ガイダー歯車２７と噛合せられた隔壁移動伝達機構４７を有することである。なお、実施例１と同一符号の部品は同一構造を有するので、説明は省略する。
【００３５】
次に動作、作用を説明する。図８に示す上吹出し時は図１に示す実施例１と同一の構成であり、上吹出しから下吹出しに切替える時に、切替え手段２８のステッピングモータ２９を駆動することでステッピングモータ歯車３０が回転ガイダー歯車２７を動かすことで回転ガイダー２５を下吹出しの位置に移動させ、一方回転ガイダー歯車２７と噛合わされ
た隔壁移動伝達機構４７によって隔壁４５は図９に示すように上吹出し通路１５を閉塞する位置へ移動される。
【００３６】
このように、上吹出し通路１５と熱交換器側吸込み通路１６とを仕切る隔壁４５を下吹出し時は、前記回転ガイダー２５の回転移動と連動して上吹出し通路１５を閉塞する位置へ移動することで、下吹出し時の送風機１１の吸込みとなる熱交換器側吸込み通路１６が広くなり、送風機１１の吸込み抵抗が減少して騒音を低減でき、送風機動力が少なくなるため省エネルギーとなる。
【００３７】
（実施例３）
図１１は本発明の実施例３のシステムの構成図である。
【００３８】
本実施例３おいて、実施例１と異なる点は上吹出し時、回転ガイダー２５の回転角度を変化させるための回転角度制御部４８を有していることである。なお、実施例１と同一符号の部品は同一構造を有するので、説明は省略する。
【００３９】
次に動作、作用を説明する。上吹出し時に比較手段３５において室温検知手段３３による室温検知温度を室温設定手段３４による設定温度と比較して、室温が設定値よりも低下して暖房能力を増加させる必要が生じたときに回転角度制御部４８の指令によって切換え手段２８を駆動して回転ガイダー２５を図１１に示す回転ガイダー２５を熱交換器側吸込み通路１６が広くなる方向へ回転させ、逆に室温が設定値よりも高くなり暖房能力を減少させる必要が生じた場合は回転ガイダー２５を熱交換器側吸込み通路１６が狭くなる方向へ移動させる。
【００４０】
このように、上吹出し時、室温設定値に対する室温の変動に応じて回転角度制御部４８により、回転ガイダー２５の回転角度を変化させることで熱交換器側通路１６を広くするとバイパス吸込み通路１８は狭くなり熱交換器１７の通風量が多くなりバイバス通風量が少なくなることで熱交換量が増加し、逆に熱交換器側吸込み通路１６を狭くするとバイパス吸込み通路１８は広くなるため熱交換器１７の通風量が少なくなりバイバス通風量が多くなることで熱交換量が減少するもので、回転ガイダー２５の回転角度を変化させるだけで熱交換量の増減が容易に可能となるため、別途の能力制御機構なしで容易に能力制御ができる。
【００４１】
（実施例４）
図１２は本発明の実施例４のシステムの構成図である。
【００４２】
本実施例４おいて、実施例１と異なる点はバイパス吸込み通路１８の開口率を可変するために上下に移動する遮蔽板４９と遮蔽板４９を移動させるための移動手段５０で構成される開口率可変手段５１を有するものである。なお、実施例１と同一符号のものは同一構造を有し、説明は省略する。
【００４３】
次に動作、作用を説明する。上吹出し時に室温が設定温度よりも低下して暖房能力を増加させる必要が生じたときに移動手段５０により遮蔽板４９をバイパス吸込み通路１８が狭くなる方向へ移動させ、逆に暖房能力を減少させる必要が生じた場合はバイパス吸込み通路１８をバイパス吸込み通路１８が広くなる方向へ移動させる。
【００４４】
このように、上吹出し時にバイパス通路１８の開口率を可変する開口率可変手段５１を用いて能力制御を行うため、より精度の良い能力制御ができ、回転ガイダー２５は風回路として最適な位置に設定できることで送風機１１を最適な効率で運転できる。
【００４５】
（実施例５）
図１３は本発明の実施例５のシステムの構成図である。
【００４６】
本実施例５おいて、実施例４と異なる点はバイパス吸込み通路１８の開口率を可変するための開口率可変手段５１として軸中心に回転移動する遮蔽板５２としたものである。なお、実施例４と同一符号のものは同一構造を有し、説明は省略する。
【００４７】
次に動作、作用を説明する。上吹出し時に室温が設定温度よりも低下して暖房能力を増加させる必要が生じたときに遮蔽板５２をバイパス吸込み通路１８が狭くなる方向へ回転移動させ、逆に暖房能力を減少させる必要が生じた場合はバイパス吸込み通路１８をバイパス吸込み通路１８が広くなる方向へ回転移動させる。
【００４８】
このように、上吹出し時にバイパス吸込み通路１８の開口率を可変する開口率可変手段５１を用いて能力制御を行うため、より精度の良い能力制御ができ、回転ガイダー２５は風回路として最適な位置に設定できることで送風機１１を最適な効率で運転できる。
【００４９】
【発明の効果】
以上の説明から明らかなように、本発明によれば、温風吹出し方向を下吹き出しに設定して送風機の全吸込みを熱交換器を通過させることで、吹出し温度が高くなり、体に直接高温風をあてることで、快適な採暖ができ、また暖房能力が大きいため、室温の立ち上がりが早くなる。
【００５０】
また、上吹出し時、回転ガイダーの回転角度を変化させることで、前記送風機の吸込みに対して前記熱交換器側吸込み通路及びバイパス吸込み通路との接続比率を変化させる回転角度制御部を設けることで、上吹出し時、回転ガイダーの回転角度を変化させて熱交換器側通路を広くするとバイパス吸込み通路は狭くなり熱交換器の通風量が多くなりバイバス通風量が少なくなるので熱交換量が増加し、逆に熱交換器側吸込み通路を狭くするとバイパス吸込み通路は広くなるため熱交換器の通風量が少なくなりバイバス通風量が多くなるので熱交換量が減少し、回転ガイダーの回転角度を変化させるだけで熱交換量の増減が容易に可能となり、別途の能力制御機構なしで容易に能力制御ができる。
【図面の簡単な説明】
【図１】  本発明の実施例１の温風暖房機の下吹出し時のシステムの構成図
【図２】  同温風暖房機の上吹出し時のシステムの構成図
【図３】  同温風暖房機の送風機の構成を示す図
【図４】  同温風暖房機の送風機の構成を示す斜視図
【図５】  同温風暖房機の暖房時の温度分布測定位置を示す図
【図６】  同温風暖房機の上吹出し時の図５のＡ面における風の流れを示す図
【図７】  同温風暖房機の上吹出し時の図５のＢ面、Ｃ面の高さ方向の温度分布図
【図８】  本発明の実施例２における温風暖房機の上吹出し時のシステムの構成図
【図９】  同温風暖房機の下吹出し時のシステムの構成図
【図１０】  同温風暖房機の主要部の構成斜視図
【図１１】  本発明の実施例３におけるシステムの構成図
【図１２】  本発明の実施例４におけるシステムの構成図
【図１３】  本発明の実施例５におけるシステムの構成図
【図１４】  従来の温風暖房機の構成図
【符号の説明】
１１  送風機
１２  下吹出し口
１３  下吹出し通路
１４  上吹出し口
１５  上吹出し通路
１６  熱交換器側吸込み通路
１７  熱交換器
１８  バイパス吸込み通路
１９  回転ファン
２０  リアガイダー
２１  スタビライザー
２４ａ、２４ｂ  端板
２５  回転ガイダー
２８  切換え手段
３２  送風機の吸込み口
４５  隔壁
４８  回転角度制御部
５１  開口率可変手段
【図１】
0003864534.tif 000002
【図２】
0003864534.tif 000003
【図３】
0003864534.tif 000004
【図４】
0003864534.tif 000005
【図５】
0003864534.tif 000006
【図６】
0003864534.tif 000007
【図７】
0003864534.tif 000008
【図８】
0003864534.tif 000009
【図９】
0003864534.tif 000010
【図１０】
0003864534.tif 000011
【図１１】
0003864534.tif 000012
【図１２】
0003864534.tif 000013
【図１３】
0003864534.tif 000014
【図１４】
0003864534.tif 000015